(57)【要約】      （修正有）【課題】アウトドアでも電力を持続的に供給できるソーラーエネルギー装置付きキャップを提供する。【解決手段】キャップと、電力供給装置２０と、照明装置と、ソーラーエネルギーパネル５０と、を含むソーラーエネルギー装置付きキャップにおいて、キャップは、収容袋を有し、電力供給装置２０は、前記収容袋に収容されており、制御ユニットと、電池と、を含み、制御ユニットは、充電回路と、充電コネクタ２１２とを有し、照明装置は、照明制御スイッチと、発光ダイオードランプ４２とを含み、照明装置は、電力供給装置２０の電池と電気的に連接しており、照明制御スイッチによって発光ダイオードランプ４２をオン/オフ可能であり、ソーラーエネルギーパネル５０は、キャップの上に設けられており、制御ユニットを介して電池と電気的に連接する。【選択図】図２
0003147415.tif 000002
【実用新案登録請求の範囲】
【請求項１】
キャップと、電力供給装置と、照明装置と、ソーラーエネルギーパネルと、を含むソーラーエネルギー装置付きキャップにおいて、
前記キャップは、収容袋を有し、
前記電力供給装置は、前記収容袋に収容されており、制御ユニットと、電池と、を含み、前記制御ユニットは、充電回路と、少なくとも一つの充電コネクタと、を有し、前記充電コネクタが電子設備と電気的に連接可能であり、前記電池は前記電子設備を充電可能であり、
前記照明装置は、照明制御スイッチと、少なくとも一つの発光ダイオードランプと、を含み、前記照明装置は、前記電力供給装置の電池と電気的に連接しており、前記照明制御スイッチによって前記発光ダイオードランプをオン/オフ可能であり、
前記ソーラーエネルギーパネルは、前記キャップの上に設けられており、前記制御ユニットを介して前記電池と電気的に連接しており、光的エネルギーを電的エネルギーに変換して前記制御ユニットの充電回路を介して電池を充電可能であることを特徴とする、ソーラーエネルギー装置付きキャップ。
【請求項２】
前記制御ユニットは、更に、発光ダイオード充電表示ランプを含み、前記充電回路は、電池保護回路と、電圧調節回路と、を含み、前記電池はリチウムイオン電池であり、前記電池設備は携帯電話であってもよく、前記充電コネクタはＵＳＢメスコネクタであり、前記携帯電話は、ＵＳＢオスコネクタを有し、前記ＵＳＢオスコネクタを介して前記電力供給装置のＵＳＢメスコネクタと電気的に連接可能であることを特徴とする、請求項１に記載のソーラーエネルギー装置付きキャップ。
【請求項３】
前記キャップは、載せ部と、ツバと、を含み、前記収容袋は前記載せ部に設けられており、前記照明装置は前記ツバの前縁に設けられており、前記ソーラーエネルギーパネルは前記ツバの上で設けられており、前記充電コネクタは、更に、トランスと電気的に連接しており、前記トランスはソケットと電気的に連接しており、前記ソケットを介して市電が前記電力供給装置に供給されて前記電池を充電可能であることを特徴とする、請求項１に記載のソーラーエネルギー装置付きキャップ。
【考案の詳細な説明】
【技術分野】
【０００１】
本考案はキャップに係り、特にソーラーエネルギー装置付きキャップに関するものである。
【背景技術】
【０００２】
アウトドアのレジャー活動が盛んになっていることに従って、レジャー用品もどんどん改良されている。なお、アウトドアでレジャー活動をしているときには、電力を使用することがあるが、目下、アウトドアの電力供給装置は、発電機や車両用電池を使用することが多く、しかし、発電機は、重量が重くて体積が大きく、携帯性が良くなくて燃料油を携帯することが必要であり、なお、車両用電池の電力が切れると、外部の電源を使用することが必要であるので、使用が極めて不便である。
【０００３】
次に、図９を参照する。図９に示すのは市販している電池ケース１００であり、しかし、このような電池ケース１００の実用性は高くなく、その原因は、電池ケース１００は、電力が切れると、電源入力端１１０を介して市電と接続して充電電池ユニット１２０を充電することが必要であるが、アウトドアでは市電がないので、充電電池ユニット１２０を充電することができないことにある。
【考案の開示】
【考案が解決しようとする課題】
【０００４】
本考案の主な目的は、市電の代りにソーラーエネルギーを使用することにより、アウトドアでも充電電池ユニットを充電することができ、実用性が極めて高いソーラーエネルギー装置付きキャップを提供することにある。
【課題を解決するための手段】
【０００５】
本考案の請求項１に記載のソーラーエネルギー装置付きキャップによると、キャップと、電力供給装置と、照明装置と、ソーラーエネルギーパネルと、を含むソーラーエネルギー装置付きキャップにおいて、前記キャップは、収容袋を有し、前記電力供給装置は、前記収容袋に収容されており、制御ユニットと、電池と、を含み、前記制御ユニットは、充電回路と、少なくとも一つの充電コネクタと、を有し、前記充電コネクタが電子設備と電気的に連接可能であり、前記電池は前記電子設備を充電可能であり、前記照明装置は、照明制御スイッチと、少なくとも一つの発光ダイオードランプと、を含み、前記照明装置は、前記電力供給装置の電池と電気的に連接しており、前記照明制御スイッチによって前記発光ダイオードランプをオン/オフ可能であり、前記ソーラーエネルギーパネルは、前記キャップの上に設けられており、前記制御ユニットを介して前記電池と電気的に連接しており、光的エネルギーを電的エネルギーに変換して前記制御ユニットの充電回路を介して電池を充電可能であることを特徴とするソーラーエネルギー装置付きキャップである。
【０００６】
本考案の請求項２に記載のソーラーエネルギー装置付きキャップによると、前記制御ユニットは、更に、発光ダイオード充電表示ランプを含み、前記充電回路は、電池保護回路と、電圧調節回路と、を含み、前記電池はリチウムイオン電池であり、前記電池設備は携帯電話であってもよく、前記充電コネクタはＵＳＢメスコネクタであり、前記携帯電話は、ＵＳＢオスコネクタを有し、前記ＵＳＢオスコネクタを介して前記電力供給装置のＵＳＢメスコネクタと電気的に連接可能である。
【０００７】
本考案の請求項３に記載のソーラーエネルギー装置付きキャップによると、前記キャップは、載せ部と、ツバと、を含み、前記収容袋は前記載せ部に設けられており、前記照明装置は前記ツバの前縁に設けられており、前記ソーラーエネルギーパネルは前記ツバの上に設けられており、前記充電コネクタは、更に、トランスと電気的に連接しており、前記トランスはソケットと電気的に連接しており、前記ソケットを介して市電が前記電力供給装置に供給されて前記電池を充電可能である。
【考案の効果】
【０００８】
本考案のソーラーエネルギー装置付きキャップによれば、次のような効果がある。
（１）本考案に係るキャップの上で設けられたソーラーエネルギーパネルによって光的エネルギーを吸収することにより、電力供給装置の充電電池を充電することができ、電力供給装置はアウトドアでも電力を持続的に供給することができる。
【０００９】
（２）ユーザは照明制御スイッチによって照明装置のオン/オフを制御することができる。
【００１０】
（３）本考案に係る電力供給装置は、ソーラーエネルギーパネルによって充電電池を充電することができると共に、トランスを介して市電と接続して充電電池を充電することもでき、そしてコンピュータのＵＳＢポートを介してコンピュータの電力によって充電電池を充電することもできる。
【考案を実施するための最良の形態】
【００１１】
以下、本考案の実施の形態を図面に基づいて説明する。
まず、図１乃至図８を参照する。本考案に係るソーラーエネルギー装置付きキャップは、キャップ１０と、電力供給装置２０と、照明装置４０と、ソーラーエネルギーパネル５０と、を含む。前記電力供給装置２０は、前記キャップ１０に設けられており、制御ユニット２１と、電池２２と、を含み、前記制御ユニット２１は、充電回路２１１と、少なくとも一つの充電コネクタ２１２と、を有し、前記充電コネクタ２１２が電子設備３０（例えば携帯電話やＭＰ３プレイヤーなど）と電気的に連接可能であり、前記電池２２は前記電子設備３０を充電可能である。前記照明装置４０は、照明制御スイッチ４１と、少なくとも一つの発光ダイオードランプ４２と、を含み、前記照明装置４０は、前記電力供給装置２０の電池２２と電気的に連接しており、前記照明制御スイッチ４１によって前記発光ダイオードランプ４２をオン/オフすることができる。前記ソーラーエネルギーパネル５０は、前記キャップ１０の上に設けられており、前記制御ユニット２１を介して前記電池２２と電気的に連接しており、光的エネルギーを電的エネルギーに変換して前記制御ユニット２１の充電回路２１１を介して電池２２を充電することができる。
【００１２】
また、前記制御ユニット２１は、更に、発光ダイオード充電表示ランプ２１３を含み、前記電力供給装置２０は、前記ソーラーエネルギーパネル５０又は外部の電源によって充電されているときには、前記発光ダイオード充電表示ランプ２１３が緑色を表示し、なお、前記電力供給装置２０が電子設備３０を充電しているときには、前記発光ダイオード充電表示ランプ２１３が赤色を表示し、そうすると、ユーザは充電の状況を容易に判別することができる。
【００１３】
前記充電回路２１１は、図４に示すように、電池保護回路２１１１と、電圧調節回路２１１２と、を含む。また、前記電池２２はリチウムイオン電池である。
【００１４】
前記充電コネクタ２１２は、小型ＵＳＢ（mini
USB）メスコネクタであり、当該電子設備は、小型ＵＳＢ（mini USB ）オスコネクタを有し、前記小型ＵＳＢオスコネクタを介して前記電力供給装置２０の小型ＵＳＢメスコネクタと電気的に連接することができる。
【００１５】
前記キャップ１０は、載せ部１１と、ツバ１２と、を含み、前記載せ部１１は収容袋１１１を有し、前記電力供給装置２０が前記収容袋１１１に収容されており、前記照明装置４０は前記ツバ１２の前縁に設けられている。
【００１６】
また、前記充電コネクタ２１２は、図７に示すように、市電によって充電することができ、トランス６０と電気的に連接することができ、前記トランス６０は、例えば交流１１０Ｖを直流５Ｖに変換するものであり、ソケット７０と電気的に連接することができ、このように、前記ソケット７０からの市電によって電池２２を充電することができる。
【００１７】
また、前記充電コネクタ２１２は、図８に示すように、コンピュータ８０のＵＳＢポートと電気的に連接することもでき、そうすると、コンピュータ８０のＵＳＢポートからの電力によって電池２２を充電することができる。
【００１８】
また、前記充電コネクタ２１２は、図６に示すように、昼間のアウトドアでは、前記ソーラーエネルギーパネル５０からの電力によって電子設備３０（例えば携帯電話やＭＰ３プレイヤーなど）に電力を持続に供給することができる。さらに、暗い場所では、図５に示すように、本考案に係るキャップ１０の照明装置４０によって周りを照明することができる。
【図面の簡単な説明】
【００１９】
【図１】本考案に係るソーラーエネルギー装置付きキャップの組合せ状態の斜視図
【図２】本考案に係るソーラーエネルギー装置付きキャップの分解斜視図
【図３】本考案に係るソーラーエネルギー装置付きキャップの機能を示すブロック図
【図４】本考案に係る充電回路の構造を示す模式図
【図５】本考案に係るソーラーエネルギー装置付きキャップの使用状態を示す模式図
【図６】本考案に係るソーラーエネルギー装置付きキャップの使用状態を示す模式図
【図７】本考案に係るソーラーエネルギー装置付きキャップの使用状態を示す模式図
【図８】本考案に係るソーラーエネルギー装置付きキャップの使用状態を示す模式図
【図９】従来の電池ケースの一部の分解斜視図
【符号の説明】
【００２０】
１０：キャップ、１１：載せ部、１２：ツバ、２０：電力供給装置、２１：制御ユニット、２２：電池、３０：電子設備、４０：照明装置、４１：照明制御スイッチ、４２：発光ダイオードランプ、５０：ソーラーエネルギーパネル、６０：トランス、７０：ソケット、８０：コンピュータ、９０：光線、１００：電池ケース、１１０：電源入力端、１１１：収容袋、１２０：充電電池ユニット、２１１：充電回路、２１２：充電コネクタ、２１３：発光ダイオード充電表示ランプ、２１１１：電池保護回路、２１１２：電圧調節回路
【図１】
0003147415.tif 000003
【図２】
0003147415.tif 000004
【図３】
0003147415.tif 000005
【図４】
0003147415.tif 000006
【図５】
0003147415.tif 000007
【図６】
0003147415.tif 000008
【図７】
0003147415.tif 000009
【図８】
0003147415.tif 000010
【図９】
0003147415.tif 000011